(57)【要約】【課題】簡単に２次抵抗値を求めてすべり周波数を求め誘導電動機をベクトル制御する制御装置を提供する。【解決手段】固定子温度Ｔを検出する温度センサを設ける。固定子温度Ｔと２次抵抗値Ｒ２の関係を予め測定してテーブル４３に記憶しておく。誘導電動機の駆動時には、温度センサで検出した固定子温度Ｔに対応する２次抵抗値Ｒ２をテーブル４３より読み出す。除算器４１でトルク電流指令Ｉ２を指令磁束φ２で除算し、その商に２次抵抗値Ｒ２を乗算器４２で乗じてすべり周波数ωｓを求める。このすべり周波数ωｓに基づいてベクトル制御する。２次抵抗値Ｒ２をテーブル４３から読み出すだけでよいから、２次抵抗値Ｒ２が簡単に求まり、すべり周波数ωｓを簡単に求めることができる。記憶する２次抵抗値Ｒ２は実測値であるから、より正確なすべり周波数ωｓが求まり、より的確にベクトル制御ができる。【選択図】      図２
2004173422.tif 000002
【特許請求の範囲】
【請求項１】
誘導電動機の２次抵抗の抵抗値を用いて誘導電動機をベクトル制御する制御装置において、
固定子温度を検出する温度センサを設けると共に、固定子温度と２次抵抗値の関係を予め測定してテーブルに記憶しておき、
前記温度センサで検出した固定子温度に対応する２次抵抗値を前記テーブルより求めて、該求めた２次抵抗値に基づいて算出されたすべり周波数により誘導電動機をベクトル制御することを特徴とする誘導電動機の制御装置。
【発明の詳細な説明】
【０００１】
【発明の属する技術分野】
本発明は、誘導電動機をベクトル制御する制御装置に関する。
【０００２】
【従来の技術】
誘導電動機の２次抵抗値を求め、該２次抵抗値を用いて誘導電動機をベクトル制御する方法が知られている。しかし、この２次抵抗値は温度によって変化することから、温度変化に対応して補償する必要があるが、２次抵抗は、回転子の巻線抵抗であることから、この２次抵抗値を直接検出することも、又２次抵抗の温度を検出することもできない。そのため、この２次抵抗値を求めるために、例えば、トルク分電流の現在値又は前歴値と予め設定されている熱時定数などの熱定数から２次抵抗の温度を推定し、該推定温度から２次抵抗値を推定する方法が知られている（特許文献１参照）。
【０００３】
又、１次側（ステータ）の温度を検出し、該１次側の温度から、１次側と２次側間の熱伝導モデルから熱伝導量を求め、この熱伝導量と２次側の損失より２次側の温度を求め、該温度から２次抵抗の抵抗値を求める方法も提案されている（特許文献２参照）。さらに、１次巻線温度と、その周囲温度を検出し、この１次巻線温度と周囲温度から２次側の温度を演算し、この演算で求めた２次側温度を演算してすべり周波数を補正する方法も公知である（特許文献３参照）。さらに、温度センサで検出した固定子の温度と固定子の基準温度とに基づいて、温度補償分を求め、該温度補償分と基準温度における２次抵抗値から温度補償後の２次抵抗値を算して、該算出した２次抵抗に基づいてすべり周波数を求めるようにしたものも公知である（特許文献４参照）。
【０００４】
【特許文献１】
特開平７−６７４００号公報（請求項１，２及び図１，図２参照）
【特許文献２】
特開平１０−２３７９９号公報（請求項１，図１参照）
【特許文献３】
特開平１−１７４２８６号公報（第２頁右下欄３〜１０行参照）
【特許文献４】
特許第２７０７６８０号公報（請求項１，第１図参照）
【０００５】
【発明が解決しようとする課題】
従来の誘導電動機のベクトル制御においては、推定値やモデルを用いて誘導電動機の２次抵抗値を演算によって推定している。演算で２次抵抗値を求める分、すべり周波数を求める処理が複雑になる。
そこで、本発明の目的は、簡単に２次抵抗値を求めてすべり周波数を求めることができる誘導電動機をベクトル制御する制御装置を提供することにある。
【０００６】
【課題を解決するための手段】
本発明は、誘導電動機の２次抵抗の抵抗値を用いて誘導電動機をベクトル制御する制御装置において、固定子温度を検出する温度センサを設けると共に、固定子温度と２次抵抗値の関係を予め測定してテーブルに記憶しておく。そして、温度センサで検出した固定子温度に対応する２次抵抗値を前記テーブルより求めて、該求めた２次抵抗値に基づいてすべり周波数を算出し、算出されたすべり周波数により誘導電動機をベクトル制御するようにした。
【０００７】
【発明の実施の形態】
図１は本発明の一実施形態の誘導電動機をベクトル制御する制御装置の要部ブロック図である。
上位制御装置等から出力される速度指令から、誘導電動機７に取り付けられ該電動機７の回転速度を検出する速度検出器８で検出した速度を減じて、速度偏差を求める。速度制御器１は、該速度偏差に対してＰＩ（比例・積分）制御等を行ってトルク電流指令（２次電流指令）Ｉ２を求める。すべり計算処理部４は、このトルク電流指令と電動機７の回転速度に応じて決まる予め設定されている磁束（２次磁束）指令φ２を入力すると共に、本発明の特徴として、電動機７の固定子に設けられた温度センサ９により検出される固定子温度Ｔを入力し、後述する処理を行ってすべり周波数ωｓを求める。すべり周波数ωｓに電動機の速度を加算して励磁周波数を求め該周波数を電流制御器２に出力する。
【０００８】
さらに、励磁周波数を積分器６で積分して位相を求める。電流変換処理部５は、電流検出器１０ｕ，１０ｖ，１０ｗで検出した３相の駆動電流と、積分器６で求めた位相に基づいてｄ−ｑ変換してｑ相のトルク電流を求める。
速度制御器１から出力されたトルク電流指令Ｉ２から電流変換処理部５で求めたトルク電流を減じて電流偏差を求め電流制御器２に入力する。電流制御器２は、この入力された電流偏差と励磁周波数及び図示していないが、励磁電流指令に基づいて、ベクトル制御を行い電圧指令を求め３相に変換してインバータ３に出力し、誘導電動機７を駆動制御する。
【０００９】
上述した誘導電動機のベクトル制御を行う制御装置と従来の誘導電動機のベクトル制御を行う制御装置との相違する点は、固定子温度を検出する温度センサ９を設けたこと、及びこの固定子温度をすべり計算処理部４に入力することであり、他は従来の制御装置と同一である。
【００１０】
図２は、すべり計算処理部４の詳細ブロック図である。除算器４１と乗算器４２及び固定子温度に対応して２次抵抗値を記憶するテーブル４３で構成され、速度制御器１から出力されたトルク電流指令のトルク電流（２次電流）Ｉ２を指令された磁束φ２で割り、その商に固定子温度Ｔに対応してテーブル４３から読み出された２次抵抗値Ｒ２を乗算器４２で乗じてすべり周波数ωｓを出力する。すなわち次の（１）式の演算を行って、すべり周波数ωｓを求め出力するものである。
【００１１】
ωｓ＝（Ｉ２／φ２）×Ｒ２          …（１）
固定子温度に対応する２次抵抗値Ｒ２を記憶するテーブル４３は、誘導電動機７を駆動し該誘導電動機７の固定子温度Ｔを温度センサ９で検出し、そのときの２次抵抗値を測定して記憶させるものである。図３はこの固定子温度Ｔと２次抵抗値Ｒ２を測定しグラフに表したものであり、この固定子温度Ｔに対する２次測定値Ｒ２をテーブル４３に記憶させておくものである。
【００１２】
２次抵抗値Ｒ２は、温度センサ９で検出された固定子温度Ｔに基づいてテーブル４３から読み出されるだけであるから、２次抵抗値Ｒ２が簡単に求まりすべり周波数ωｓを簡単に求めることができる。
【００１３】
上述した処理は、ハードウエアで構成することもできるが、通常プロセッサでソフトウェアで実行される。制御装置のプロセッサがソフトウェアで実行する場合のすべり周波数ωｓを求める処理を図４に示す。
【００１４】
まず、速度制御処理によって求められたトルク電流Ｉ２を読み取ると共に（ステップ１００）、指令された磁束φ２を読み取る（ステップ１０１）。さらに温度センサ９から固定子温度Ｔを読み取り（ステップ１０２）、予め固定子温度に対する２次抵抗値Ｒ２を記憶するテーブルから読み取った固定子温度Ｔに対する２次抵抗値Ｒ２を読み取る（ステップ１０３）。この読み取った、トルク電流Ｉ２、磁束φ２、２次抵抗値Ｒ２より、（１）式の演算を行いすべり周波数ωｓを求め（ステップ１０４）、該すべり周波数ωｓを各処理へ出力してすべり周波数算出処理は終了する。
【００１５】
【発明の効果】
本発明は、固定子温度に対応する２次抵抗値を実側して記憶したテーブルから、温度センサで検出される固定子温度に対応する２次抵抗値を読み出すようにしたから、簡単に２次抵抗値を求めることができすべり周波数を容易に素早く求めることができる。又２次抵抗値は実測値に基づくものであるから、より的確なすべり周波数が求まり、より正確なベクトル制御ができる。
【図面の簡単な説明】
【図１】本発明の一実施形態の誘導電動機をベクトル制御する制御装置の要部ブロック図である。
【図２】同実施形態におけるすべり計算処理部の詳細ブロック図である。
【図３】同実施形態におけるテーブルに記憶する固定子温度に対する２次抵抗値の実測をグラフ化した図である。
【図４】すべり周波数算出をプロセッサで行うときの処理フローチャートである。
【符号の説明】
７  誘導電動機
８  速度検出器
９  温度センサ
【図１】
2004173422.tif 000003
【図２】
2004173422.tif 000004
【図３】
2004173422.tif 000005
【図４】
2004173422.tif 000006